(57)【要約】  本発明は、電気機械式のディスクブレーキであって、自己増力装置としての傾斜機構（２４，２８）を有している形式のものに関する。本発明に基づき、摩擦ブレーキライニング（１４）の駆動のための歯列部（３６）は、傾斜機構（２４，２８）の転動体（２４）間に、殊に転動体（２４）によって画定された仮想の平面（３４）の幾何学的な平面重心点上に配置されている。これにより、負荷は転動体（２４）に均一に分配され、ディスクブレーキ（１０）の作動の際のブレーキディスク（１６）への摩擦ブレーキライニング（１４）の押圧力は、均一に分配されて、不均一なライニング摩耗を避けるようになっている。
2009532643.tif 000002
【特許請求の範囲】
【請求項１】
電気機械式のディスクブレーキであって、摩擦ブレーキライニング（１４）、ディスクブレーキ（１）の作動のために前記摩擦ブレーキライニング（１４）をブレーキディスク（１６）に向けて押圧するための電気機械式の作動装置（３４，３８）、及び自己増力装置を備えており、前記自己増力装置は、傾斜機構（２４，２８）を有しており、該傾斜機構は、前記摩擦ブレーキライニング（１４）を、周方向でかつ前記ブレーキディスク（１６）に対して所定の傾斜角度で移動可能に支持していて、前記回転するブレーキディスク（１６）から制動時に該ブレーキディスク（１６）へ圧着された前記摩擦ブレーキライニング（１４）に生ぜしめられた摩擦力を、押圧力に変換するようになっており、該押圧力は、前記作動装置（３４，３８）から生ぜしめられた押圧力に加えて、前記摩擦ブレーキライニング（１４）を前記ブレーキディスク（１６）に向けて押圧するようになっており、前記傾斜機構は３つの傾斜部（２８）と該各傾斜部上を転動する転動体（２４）から成っており、前記転動体（２４）は仮想の１つの三角形（３４）の各角に配置されていて、前記摩擦ブレーキライニング（１４）を支持している形式のものにおいて、前記作動装置（３４，３８）から前記ブレーキディスク（１６）に対して所定の角度で前記摩擦ブレーキライニング（１４）に生ぜしめられる作動力の仮想の作用線は、前記転動体（２４）間を通って延びていることを特徴とする、電気機械式のディスクブレーキ。
【請求項２】
前記作動装置（３４，３８）から前記摩擦ブレーキライニング（１４）に生ぜしめられる作動力の仮想の作用線は、前記３つの転動体（２４）によって画定された仮想の三角形（３４）の重心点を通って延びている請求項１に記載のディスクブレーキ。
【請求項３】
前記作動装置（３４，３８）から前記摩擦ブレーキライニング（１４）に生ぜしめられる作動力の仮想の作用線と、前記３つの転動体（２４）によって画定された仮想の三角形（３４）との交点は、前記ブレーキディスク（１６）の回転軸線からの、前記摩擦ブレーキライニング（１４）の有効な摩擦半径と同じ距離に位置している請求項１に記載のディスクブレーキ。
【請求項４】
前記作動装置（３４，３８）から前記摩擦ブレーキライニング（１４）に生ぜしめられる作動力の仮想の作用線は、前記摩擦ブレーキライニング（１４）の移動方向に延びている請求項１に記載のディスクブレーキ。
【請求項５】
ディスクブレーキ（１０）は保持ばね（４０）を備えており、該保持ばね（４０）は、前記摩擦ブレーキライニング（１４）を前記傾斜機構（２４，２８）に向けて負荷しており、前記保持ばね（４０）のばね力の作用線は、前記転動体（２４）間を通って延びている請求項１に記載のディスクブレーキ。
【請求項６】
前記保持ばね（４０）のばね力の作用線は、前記ブレーキディスク（１６）の回転軸線からの、前記摩擦ブレーキライニング（１４）の有効な摩擦半径と同じ距離に位置している請求項５に記載のディスクブレーキ。
【請求項７】
前記作動装置は、歯列部（３６）及び、該歯列部（３６）とかみ合う歯車（３８）を有しており、前記歯列部（３６）は前記摩擦ブレーキライニング（１４）の移動方向に延びている請求項１に記載のディスクブレーキ。
【請求項８】
前記傾斜機構（２４，２８）は、回転可能に支承された転動体（２４）を有しており、該転動体（２４）は前記傾斜部（２８）上を転動するようになっている請求項１に記載のディスクブレーキ。
【請求項９】
前記傾斜部（２８）は横方向傾き（β）を有しており、この場合に、前記ブレーキディスク（１６）の回転軸線に対する距離の短い方の前記傾斜部（２８）の横方向傾き（β）は、前記ブレーキディスク（１６）の回転軸線に対する距離の長い方の前記傾斜部（２８）の横方向傾き（β）とは逆向きに傾けられている請求項１に記載のディスクブレーキ。
【発明の詳細な説明】
【技術分野】
【０００１】
本発明は、電気機械式のディスクブレーキ若しくは部分ライニングディスクブレーキであって、摩擦ブレーキライニング、ディスクブレーキ若しくは部分ライニングディスクブレーキの作動のために摩擦ブレーキライニングをブレーキディスクに向けて押圧するための電気機械式の作動装置、及び自己増力装置を備えており、自己増力装置は、傾斜機構を有しており、傾斜機構は、摩擦ブレーキライニングを、前記ブレーキディスクの周方向（円周方向）でかつ該ブレーキディスクに対して所定の傾斜角度で移動可能に支持していて、回転するブレーキディスクから、制動時に該ブレーキディスクへ圧着された摩擦ブレーキライニングに生ぜしめられた摩擦力を、摩擦ブレーキライニングの押圧力に変換するようになっており、押圧力は、作動装置から生ぜしめられた押圧力に加えて、摩擦ブレーキライニングをブレーキディスクに向けて押圧するようになっており、傾斜機構は３つの傾斜部及び該各傾斜部上を転動する転動体を有しており、該転動体は仮想の１つの三角形の各角に配置されていて、摩擦ブレーキライニングを支持している形式のものに関する。この種の電気機械式のディスクブレーキは、自己増力形電気機械式のディスクブレーキとも称される。部分ライニングディスクブレーキは、摩擦ライニングがブレーキディスクの全周の一部分にわたってしか延びていないディスクブレーキを意味している。一般的にディスクブレーキは、ブレーキディスクの周囲の１つの箇所に配置された１つのキャリパ及び該キャリパ内に配置されていてブレーキディスクの周方向でブレーキディスクの周囲の一部分にわたって延びる摩擦ブレーキライニング（制動パッド又は摩擦パッド）を備えている。
【０００２】
Ｒ３０７４７６号明細書には自己増力形電気機械式のディスクブレーキを記載してあり、公知のディスクブレーキは、可動の摩擦ブレーキライニングを備えており、摩擦ブレーキライニングは、ディスクブレーキの作動のために電気機械式の作動装置によってブレーキディスクに向けて押圧されるようになっている。電気機械式の作動装置は電動モータ、機械式の減速伝動装置、並びに電動モータ及び減速伝動装置の回転運動を摩擦ブレーキライニングの移動のための並進に変換するための歯列伝動装置から成っている。電気機械式の作動装置の別の構成も可能であり、例えば回転運動はねじ式伝動部若しくはカムを用いて並進運動に変換されてよい。
【０００３】
公知のディスクブレーキは傾斜機構（傾斜装置）から成る自己増力装置を有しており、傾斜機構は３つの傾斜部を備えており、３つの傾斜部（傾斜面）は、１つの直線上には位置しない３つの箇所で摩擦ブレーキライニングを支持している。このような支持は、仮想の１つの三角形の各角（辺の各交点）での三点支持とも称され、力学的に安定して、一定である。傾斜部（傾斜面）は、ブレーキディスクに対して所定の傾斜角度でブレーキディスクの周方向に延びている。傾斜部はブレーキディスクの周方向にではなく、例えばブレーキディスクの弦の方向に延びていてもよい。重要なことは傾斜部の形状及び摩擦ブレーキライニングの移動によって、制動時に、回転するブレーキディスクから該ブレーキディスクへ圧着された摩擦ブレーキライニングに生ぜしめられる摩擦力が、摩擦ブレーキライニングを、傾斜部とブレーキディスクとの間のくさび間隙の減少する方向に負荷し、すなわち移動させ、その結果自己増力作用若しくはセルフエナージング作用を生ぜしめるようになっていることである。摩擦ブレーキライニングは傾斜機構によって、ブレーキディスクに対して所定の傾斜角度でブレーキディスクの周方向に移動可能に案内されている。ディスクブレーキの作動のための摩擦ブレーキライニングの移動は、電気機械式の作動装置を用いて行われる。傾斜角度は傾斜部の長さにわたって変化していてよい。例えば摩擦ブレーキライニングの移動の開始時の大きな傾斜角度によって、空隙を、すなわち摩擦ブレーキライニングとブレーキディスクとの間の間隙を急速に克服して、ディスクブレーキの作動の開始時に、摩擦ブレーキライニングをブレーキディスクに急速に接触させるようになっていてよい。摩擦ブレーキライニングの移動に伴って次第に減少する傾斜角度によっては、ブレーキ力の増大に伴う大きな自己増力作用を達成するようになっている。全長にわたって一定の傾斜角度で延びる傾斜部は、くさび機構とも称される。摩擦ブレーキライニングの移動は、ブレーキディスクの周方向で勾配に伴ってブレーキディスクに向かう螺旋運動である。
【０００４】
ディスクブレーキの作動に際して、回転するブレーキディスクは、該ブレーキディスクへ圧着された摩擦ブレーキライニングに摩擦力を生ぜしめる。摩擦力は摩擦ブレーキライニングを、傾斜部とブレーキディスクとの間のくさび隙間の減少する方向に負荷する。摩擦ブレーキライニングを傾斜部に支持してあることにより、傾斜部の傾斜角度に基づきくさび作用の原理で支持力を形成するようになっており、該支持力は、ブレーキディスクに対して垂直な力成分を生ぜしめる。該力成分は、摩擦ブレーキライニングをブレーキディスクへ押圧する押圧力として用いられる。該押圧力は、前記摩擦力によって形成されたものであり、作動装置によって生ぜしめられたものではなく、作動装置によって生ぜしめられた押圧力に加えて、摩擦ブレーキライニングをブレーキディスクへ押圧するものである。これによって制動力は自動的に増強され、つまりディスクブレーキは自己増力作用を有しており、傾斜機構は自己増力装置を形成しており、自己増力装置は、ブレーキディスクから該ブレーキディスクに圧着された摩擦ブレーキライニングに生ぜしめられる摩擦力を押圧力に変換するようになっている。
【０００５】
公知のディスクブレーキの傾斜機構は転動体（転動部材又は転がり部材）を有しており、該転動体は、ローラ、例えば円筒ローラ若しくは円錐ローラであり、摩擦ブレーキライニングの支持のための傾斜部上を転動するようになっている。転動体として球体若しくはボールを用いることも可能である。傾斜部（傾斜面）は隆起して成形され、若しくは延在方向の長さにわたって変化する深さでくぼんで例えば溝若しくは凹部の形で成形されていてよい。転動体は、仮想の１つの三角形の各角に配置されている。
【０００６】
本発明の構成では、作動装置からブレーキディスクに対して所定の角度で摩擦ブレーキライニングに生ぜしめられる作動力の仮想の作用線は、転動体間を通って延びている。つまり作動力の仮想の作用線は、傾斜機構の転動体によって画定された仮想の三角形と交差している。有利には、仮想の作用線と仮想の三角形と交点は、三角形の幾何学的な平面重心点上にある。これによって、作動装置から摩擦ブレーキライニングに生ぜしめられる作動力による負荷は、転動体に均一に分配される。ブレーキディスクへの摩擦ブレーキライニングの押圧力（圧着力）は、摩擦ブレーキライニングの面全体にわたって均一に分配され、摩擦ブレーキライニングは面全体にわたって均一に摩耗するようになっている。本発明のさらなる利点として、作動力に起因して摩擦ブレーキライニングに生ぜしめられることになる回転モーメントは減少されている。このような摩擦ブレーキライニングの回転モーメントは、作動力が摩擦ブレーキライニングの幾何学的な平面重心点から半径方向外側若しくは半径方向内側で摩擦ブレーキライニングに作用している場合に、つまり作動力の作用線が摩擦ブレーキライニングの幾何学的な平面重心点から半径方向外側若しくは半径方向内側を延びている場合に、作動力によって生ぜしめられることになる。本発明により、作動力が摩擦ブレーキライニングに作用する箇所（点）と摩擦ブレーキライニングの幾何学的な平面重心点との半径方向の距離、ひいては回転モーメントは、減少され、理想的には零にされている。回転モーメントは、摩擦ブレーキライニングの幾何学的な平面重心点を通ってブレーキディスクに対して垂直に延びる仮想の軸線と中心として作用するものである。
【０００７】
請求項１に記載の本発明の有利な実施態様を従属項に記載してある。
【０００８】
本発明の実施態様では、作動装置から摩擦ブレーキライニングに生ぜしめられる作動力の仮想の作用線は、３つの転動体によって画定された仮想の三角形の平面重心点を通って延びている。作動装置から摩擦ブレーキライニングに生ぜしめられる作動力の仮想の作用線と、３つの転動体によって画定された仮想の三角形との交点は、ブレーキディスクの回転軸線からの半径方向の所定の距離に位置しており、該距離は、摩擦ブレーキライニングの有効な摩擦半径と同じ距離であり、つまりブレーキディスクの回転軸線と摩擦ブレーキライニングの幾何学的な平面重心点との間の距離と同じ距離である。
【０００９】
次に本発明を図示の実施例に基づき詳細に説明する。図面において、
図１は、本発明に基づくディスクブレーキの概略的な斜視図であり、
図２は、図１のディスクブレーキの摩擦ブレーキライニングを矢印ＩＩの方向で見た背面図であり、
図３は、図２のＩＩＩ−ＩＩＩ線に沿った断面図である。
【００１０】
図１には本発明に基づく電気機械式のディスクブレーキ１０を示してある。ディスクブレーキ１０は、２つの摩擦ブレーキライニング１２，１４を有しており、該摩擦ブレーキライニングはブレーキディスク１６の両側に配置されている。両方の摩擦ブレーキライニングのうちの一方の摩擦ブレーキライニング１２はブレーキキャリパ１８内に固定してあり、つまりブレーキキャリパ内に不動に配置されている。摩擦ブレーキライニング１２は不動の摩擦ブレーキライニング１２と称される。ブレーキキャリパ１８のうちの、図面でブレーキディスク１６の上側にある構成部分は、上方若しくは外側へ９０°旋回して示してあり、それというのは該構成部分によってディスクブレーキ１０の大部分の構成部分を覆ってしまうことになるからである。ブレーキキャリパ１８は、一般的にそうであるように、ブレーキディスク１６を外周側から取り囲んでいる。
【００１１】
他方の摩擦ブレーキライニング１４は、ブレーキディスク１６に対して回転方向にも、横方向（垂直方向）にも運動できるようになっている。ブレーキディスク１６の回転方向では、可動の摩擦ブレーキライニング１４は仮想の１つの回転軸線を中心として回転（回動）するようになっており、前記仮想の回転軸線はブレーキディスク１６の回転軸線とほぼ合致している。原理的には、可動の摩擦ブレーキライニング１４の、ブレーキディスク１６に対する割線方向での移動（運動）も可能である。ディスクブレーキ１０の作動のための摩擦ブレーキライニング１４の運動は、電気機械式の作動装置を用いて行われるようになっており、該作動装置は、図面の煩雑さを避けるために図示を省略してある。電気機械式の作動装置は、当業者にとって種々の構造で知られていて、本願発明の本来の要旨ではないので、ここでは詳細な説明を省略してある。
【００１２】
摩擦ブレーキライニング１４は、通常そうであるようにブレーキライニング支持プレート２０に分離不能に結合され、つまり固着されている。ブレーキライニング支持プレート２０は、ブレーキディスク１６とは逆の側、つまり背面に支承部２２を有しており、該支承部（支承台）に転動体２４を回転可能に支承してある。本発明の図示の実施例では、転動体２４としてローラ若しくは円筒体を用いてある。転動体２４の回転軸線は、ブレーキディスク１６の回転軸線に対して半径方向に配置され、つまり、ブレーキディスク１６の回転軸線を中心として半径方向に延びている。転動体２４の回転軸線をブレーキディスク１６の回転軸線に対して半径方向に配置することは、必須ではない。摩擦ブレーキライニング１４を例えばブレーキディスク１６の割線方向に移動させる場合には、転動体２４の回転軸線はブレーキディスクの割線に対して垂直に、かつ互いに平行に延びている。支承部２２によって転動体２４を、可動の摩擦ブレーキライニング１４に位置不動（定位置）にかつ回転可能に支承してあり、転動体２４は、摩擦ブレーキライニング１４の移動に際して摩擦ブレーキライニング１４と一緒に運動するようになっている。
【００１３】
ブレーキライニング支持プレートと相対して設けられた対向プレート２６の、ブレーキディスク１６に向いた側、つまり前面に傾斜部２８を配置してあり、傾斜部２８は転動体２４を支持しており、転動体２４は傾斜部２８に沿って転動するようになっている。傾斜部２８は、ブレーキディスク１６の周方向及び回転方向に、ひいては摩擦ブレーキライニング１４の移動方向に延びている。傾斜部２８はブレーキディスク１６の回転方向に上り勾配を成している。図示の実施例では対向プレート（対向支持プレート）２６は、ブレーキキャリパ１８の上方若しくは外側へ旋回した状態で描かれた構成部分である。
【００１４】
対向プレート２６は、ブレーキライニングプレート２０とほぼ合致して該ブレーキライニングプレートの、ブレーキディスク１６と逆の側の背面に配置されている。図１には対向プレート２６は、すでに述べてあるように、上方へ、つまり外側へ傾けて描かれて、傾斜部２８及び転動体２４を見えるようにしてある。対向プレート２６は、実際には摩擦ブレーキライニング１２，１４、ブレーキディスク１６、及びブレーキライニング支持プレート２０に対して平行に配置されている。ブレーキキャリパ１８はいわゆる浮動型キャリパとして構成され、つまりブレーキディスク１６に対して横方向（垂直方向）に移動可能になっている。可動の摩擦ブレーキライニング１４をブレーキディスク１６に圧着する場合に、ブレーキキャリパ１８はブレーキディスク１６に対して横方向に移動させられて、固定式の摩擦ブレーキライニング１２をブレーキディスク１６の逆側の面に圧着し、これによってブレーキディスク１６は両方の摩擦ブレーキライニング１２，１４によって制動されるようになっている。
【００１５】
ディスクブレーキ１０の作動のために、可動の摩擦ブレーキライニング１４はブレーキディスク１６の回転方向に移動させられるようになっている。ブレーキディスク１６の回転方向は図１に矢印３０で示してあり、摩擦ブレーキライニング１４の移動方向は、ブレーキライニング支持プレート２０上に矢印３２で示してある。ブレーキディスク１６の回転方向３０での摩擦ブレーキライニング１４の運動（移動）に際して、転動体２４は傾斜部２８上を転動するようになっている。傾斜部２８の勾配（上り勾配）に基づき、摩擦ブレーキライニング１４は、ブレーキディスク１６の回転方向３０での運動（回転）に際して、ブレーキディスク１６に対して横方向に運動（移動）させられて、ブレーキディスク１６に圧着されるようになっている。これによってブレーキディスク１６は制動される。回転中のブレーキディスク１６は、回転方向３０で、ブレーキディスク１６に圧着された摩擦ブレーキライニング１４に摩擦力を生ぜしめ、該摩擦力は摩擦ブレーキライニング１４をブレーキディスク１６の回転方向３０に、すなわち摩擦ブレーキライニング１４の回転方向に負荷し、つまり回動させることになる。傾斜部２８上に転動体２４を介して摩擦ブレーキライニング１４を支持してあることに基づき、ブレーキディスク１６の回転方向３０での摩擦力に伴う摩擦ブレーキライニング１４の負荷（回動力）は、傾斜部（傾斜面）２８に対して垂直な支持力（反力）を生ぜしめ、該支持力はブレーキディスク１６に対して垂直方向の力成分を発生させるようになっている。ブレーキディスク１６に対して垂直方向の力成分は、圧着力（押圧力）を生ぜしめ、該圧着力は、摩擦ブレーキライニング１４を、作動装置によって生ぜしめられた圧着力に加えて、ブレーキディスク１６へ押圧し、これによってディスクブレーキ１０のブレーキ力は増強されるようになっている。
【００１６】
傾斜部２８はブレーキディスク１６に対して鋭角の傾斜角度で延びている。傾斜角度は傾斜部２８の延在長さにわたって、すなわち傾斜部の長手方向で変化していてよい。長さにわたって一定の傾斜角度の傾斜部は、くさびと称される。傾斜部２８は傾斜機構を形成しており、該傾斜機構は、ディスクブレーキ１０の制動力の自動的な倍力作用を生ぜしめるようになっている。
【００１７】
図示の実施例ではブレーキライニング支持プレート２０に３つの転動体２４を配置し、かつ対向プレート２６に３つの傾斜部２８を配置してあり、これによって摩擦ブレーキライニング１４の規定された安定した支持を行っている。摩擦ブレーキライニングを３つよりも多くの箇所で規定して支持することも可能である。３つよりも少ない転動体及び傾斜部で摩擦ブレーキライニングを支持することも可能であり、この場合には例えば２つの転動体２４及び２つの傾斜部２８は、ブレーキライニング支持プレート２０の所定の幅にわたって延びている（図示省略）。
【００１８】
図１に示す実施例では、傾斜部２８はブレーキディスク１６の１つの回転方向３０でのみ上り勾配をなしており、したがってディスクブレーキ１０は、ブレーキディスク１６の符号３０で示す回転方向でのみ自動倍力作用を有している。ブレーキディスク１６の逆の回転方向では、自動倍力作用は生じない。ブレーキディスク１６の逆の回転方向でも自動倍力作用を生ぜしめるためには、逆の方向で上り勾配の傾斜部を設けるとよい（図示省略）。異なる傾斜角度によって、ブレーキディスク１６の両方の回転方向で、つまり前進走行と後進走行とで互いに異なる大きさの自動倍力作用を生ぜしめることができるようになっている（図示省略）。
【００１９】
３つの転動体２４は、鎖線で示す仮想の三角形３４を成しており、三角形の各角（辺の各交点）は転動体２４の長手方向中心点に位置している。ディスクブレーキ１０の作動のために、ブレーキライニング支持プレート２０は背面に歯列部３６を有している。歯列部３６は、ブレーキディスク１６に対して、傾斜部２８の傾斜角度と相対する角度をなして、つまり図示の実施例では下り勾配の傾斜角度で、傾斜部２８と同様にブレーキディスク１６の円周方向に延びている。歯列部３６の勾配は、傾斜部２８の勾配と同じである。歯列部３６は、転動体２４によって画定された仮想の三角形３４の内側に配置されていて、三角形３４の幾何学的な平面重心点を通って延びている。駆動は、図１の対向プレート２６内に見える歯車３８を用いて行われ、歯車３８は歯列部３６とかみ合うようになっている。歯車３８は図示省略の電動モータによって、機械式の伝動装置（図示省略）を介して駆動されるようになっている。歯列部３６、これとかみ合う歯車３８、電動モータ及び伝動装置は、一緒にディスクブレーキの電気機械式の作動装置（操作装置）を形成している。
【００２０】
歯車３８は歯列部３６の歯列に係合している。したがって、作動装置によって生ぜしめられる作動力（駆動力）の仮想の作用線は、歯列部３６の長手方向に歯列を通って延びている。歯列部３６を三角形３４の平面重心点上に配置してあることによって、作動力の作用線は三角形３４の平面重心点を通って延びている。これにより、作動力は各転動体２４に均一に分配される。ブレーキディスク１６に向けられた摩擦ブレーキライニング１４の押圧力も、摩擦ブレーキライニング１４の平面に同じく均一に分配されて、不均一なライニング摩耗を避けるようになっている。
【００２１】
歯列部３６はブレーキディスク１６の回転軸線を中心とした仮想の円弧線に沿って配置され、かつ、摩擦ブレーキライニング１４の幾何学的な平面重心点を通ってブレーキディスク１６に対して垂直に延びる仮想の１つの垂直線上に位置している。換言すれば、歯列部３６は摩擦ブレーキライニング１４の効果的な摩擦半径に配置されている。これによって、作動力がブレーキディスク１６に対して垂直な仮想の軸線を中心として摩擦ブレーキライニング１４を回動させるようなモーメントは避けられるようになっている。作動力の作用線は、摩擦ブレーキライニング１４の、傾斜部２８によって規定された移動方向に延びている。これにより、作動装置から生ぜしめられた作動力は最大に利用され、つまり、所定の作動力において、該作動力から摩擦ブレーキライニング１４をブレーキディスク１６に向けて押す押圧力は、最大である。
【００２２】
ディスクブレーキ１０は、２つの保持ばね４０を有しており、該保持ばねは図示の実施例ではコイル引っ張りばねとして形成されていて、ブレーキライニング支持プレート２０の背面と対向プレート２６の前面とに懸架されている。保持ばね４０の配置によって、転動体２４はディスクブレーキ１０を緩めた場合に、傾斜部２８に向けて押圧されたままにされており、その結果、摩擦ブレーキライニング１４はブレーキディスク１６の円周方向に移動可能に案内された状態に保たれている。保持ばね４０は三角形３４の内側に配置されている。両方の保持ばね４０のばね力の仮想の共有の１つの作用線は、有利には三角形３４の平面重心点、ひいては摩擦ブレーキライニング１４の効果的な摩擦半径を通って延びている。効果的な摩擦半径は、摩擦ブレーキライニング１４の平面重心点とブレーキディスク１６の回転軸線との間の距離である。両方の保持ばね４０のばね力の仮想の共有の１つの作用線は、両方の保持ばね４０を代替してブレーキライニング支持プレート２０に作用する仮想の１つの保持ばねのばね力の作用線を意味し、つまり両方の保持ばねのばね力の合成力の作用線を意味している。ディスクブレーキ１０は図示を省略してあるものの、原理的には１つの保持ばねしか有していなくてよく、或いは２つよりも多い数の保持ばねを有していてよい。
【００２３】
図３に示してあるように、傾斜部２８及び転動体２４は横方向傾きを有し、つまり半径方向傾きを有している。この場合に、半径方向内側に配置された両方の傾斜部２８の傾斜面は、半径方向外側に配置された傾斜部２８の傾斜面と逆向きに傾けられている。傾斜部２８は、互いに逆向きの横方向傾きに基づき摩擦ブレーキライニング１４を摩擦ブレーキライニング１４の移動方向に対して横方向で、つまりブレーキディスク１６の半径方向で案内している。傾斜部傾斜面の、傾斜部２８の長手方向中心点を通る仮想の垂直線は、理想的には、ブレーキディスク１６の、摩擦ブレーキライニング１４に向いた表面の高さで、摩擦ブレーキライニング１４の効果的な摩擦半径に相当するブレーキディスク１６の半径の仮想の円弧線と交差している。
【図面の簡単な説明】
【００２４】
【図１】本発明に基づくディスクブレーキの概略的な斜視図
【図２】図１のディスクブレーキの摩擦ブレーキライニングを矢印ＩＩの方向で見た背面図
【図３】図２のＩＩＩ−ＩＩＩ線に沿った断面図
【符号の説明】
【００２５】
１０  ディスクブレーキ、  １２，１４  摩擦ブレーキライニング、  １６  ブレーキディスク、  １８  ブレーキキャリパ、  ２０  ブレーキライニング支持プレート、  ２６  対向プレート、  ２２  支承部、  ２４  転動体、  ２６  対向プレート、  ２８  傾斜部、  ３６  歯列部、  ３８  歯車、  ４０  保持ばね
【図１】
2009532643.tif 000003
【図２】
2009532643.tif 000004
【図３】
2009532643.tif 000005
【国際調査報告】
2009532643.tif 000006
2009532643.tif 000007
2009532643.tif 000008
2009532643.tif 000009